(57)【要約】【課題】  器具本体にねじ孔を要することなく複数の発光モジュールを器具本体にねじ止めできて、製造コストの低減可能な照明器具を提供する。【解決手段】  照明器具は、器具本体１１と、複数の発光モジュール３５と、複数のモジュール固定ねじ４０を具備する。器具本体１１は第１部材１２と第２部材２２を備え、これら両部材をその長手方向に延びる一側縁部１２ａ，２２ａを互に離間させて連結する。両部材のうちの一方の部材１２に、離間された一側縁部１２ａ，２２ａ間に対向する支持部１６を設ける。支持部１６にその長手方向に延びるモジュール用溝条１９を形成する。複数のねじ通し部を有したモジュール基板３６に発光部３７を複数実装してなる発光モジュール３５を、支持部１６の長手方向に間隔的に配設する。モジュール固定ねじ４０をねじ通し部に通してモジュール用溝条１９にねじ込んで、各発光モジュール３５を支持部１６に固定したことを特徴としている。【選択図】図３
2012129025.tif 000002
【特許請求の範囲】
【請求項１】
第１部材と第２部材を備え、これら両部材の長手方向に延びる一側縁部を互に離間させて前記両部材を連結するとともに、前記離間された一側縁部間に対向する支持部を前記両部材のうちの一方に設け、かつ、前記支持部の長手方向に延びるモジュール用溝条を前記離間された一側縁部間に臨んで前記支持部に形成した器具本体と；
複数のねじ通し部を有したモジュール基板に発光部を複数装着してなり、前記ねじ通し部を前記モジュール用溝条に対向させるとともに前記発光部を前記離間された一側縁部間に向けて前記支持部に、この支持部の長手方向に間隔的に配置された複数の発光モジュールと；
前記ねじ通し部を通って前記モジュール用溝条にねじ込まれて前記発光モジュールを前記支持部に固定した複数のモジュール固定ねじと；
を具備することを特徴とする照明器具。
【請求項２】
前記発光モジュールが有した複数の前記発光部にわたるような長さを有するレンズ部、及びこのレンズ部の幅方向両側に夫々突設された取付け脚を有し、かつ、これら取付け脚の少なくとも一方にねじ通し部が形成されたレンズを備え、
前記モジュール用溝条と平行なレンズ用溝条を前記モジュール用溝条の両側に夫々形成し、前記取付け脚のねじ通し部を通って前記レンズ用溝条にねじ込まれたレンズ固定ねじで前記レンズを前記支持部に前記発光モジュールを覆って固定したことを特徴とする請求項１に記載の照明器具。
【請求項３】
前記発光部を発光させる電源ユニットを備え、
前記モジュール用溝条と平行な電源用溝条を前記モジュール用溝条に対して前記支持部の幅方向にずれて形成し、前記電源用溝条にねじ込まれたユニット固定ねじで前記電源ユニットを前記支持部の背面に固定したことを特徴とする請求項１又は２に記載の照明器具。
【請求項４】
前記レンズを前記モジュール基板に位置決めする位置決め部を前記取付け脚に設け、この位置決め部が、前記レンズ固定ねじのねじ込みに伴い前記モジュール基板の側縁部の正面に接する基板接触面と、この面から折れ曲がるように連続して前記側縁部の側面を覆うカバー面を有していることを特徴とする請求項２又は３に記載の照明器具。
【請求項５】
前記発光モジュールを覆うように設けられる配光制御部材を備え、
前記両部材の長手方向全長にわたって延びてこの長手方向の端が開放された部材用溝条を、前記両部材の前記一側縁部と前記支持部との間に夫々設け、
前記配光制御部材を、この配光制御部材の幅方向両側縁を前記部材用溝条に嵌めて前記両部材間に取付けたことを特徴とする請求項１から４のうちのいずれか一項に記載の照明器具。
【請求項６】
前記配光制御部材が前記発光モジュールと略同じ長さでかつ同数用いられているとともに、これら配光制御部材と前記器具本体の長手方向に交互に配置される複数の目隠し部材を備え、前記配光制御部材と前記目隠し部材とを、それらの幅方向両側縁を前記部材用溝条に嵌めて前記両部材間に取付けたことを特徴とする請求項５に記載の照明器具。
【発明の詳細な説明】
【技術分野】
【０００１】
本発明の実施形態は、例えば複数の発光モジュールを備えた照明器具に関する。
【背景技術】
【０００２】
下方に開口する溝条をなしたアルミニウムの押し出し型材製の照明装置本体の中央板状部の下面に、発光モジュールを取付けるとともに、照明装置本体の長手方向両端に夫々側端部材を装着し、かつ、照明装置本体に発光モジュールを覆って半透明のカバー体を装着した照明装置が、従来技術として知られている。
【０００３】
この照明装置において、発光モジュールは、矩形状の配線基板に複数のＬＥＤ（発光ダイオード)を、配線基板の長手方向に沿って所定の間隔で一直線上に設けて形成されている。この発光モジュールは、両面テープや接着剤を用いて照明装置本体の中央板状部に取付けられている。
【０００４】
この場合、発光モジュールがその発光時に発する熱で接着剤は劣化することがあるので、接着のみに依存して取付けられた発光モジュールの照明装置本体への取付け信頼性は低い。
【０００５】
一般的に発光モジュールをねじ止めすれば、発光モジュールの取付け信頼性を向上することができる。
【０００６】
このねじ止め作業を照明装置本体の開口を通して行うことは、照明装置本体が長手を有していて、その開口幅が狭い場合には、作業空間が制限される結果、発光モジュールの取付け作業性が低下する。特に、照明装置本体の長手方向に複数の発光モジュールを間隔的に並べて取付ける構成の照明装置で、発光モジュールの取付け作業性の低下は、製造コストが高まる因子となる。
【０００７】
又、ねじ止めを行うには、一般的に、照明装置本体の発光モジュール設置部に、固定ねじがねじ込まれるねじ孔を予め設けて置く必要がある。ねじ孔は、一個の発光モジュールに付き複数必要で、それに応じた加工コストが必要となるに伴い、照明装置の製造コストが高まる因子となる。特に、照明装置本体の長手方向に複数の発光モジュールを間隔的に並べて取付ける構成の照明装置においては、数多くのねじ孔加工が必要であるので、照明装置の製造コストが高まる。
【０００８】
更に、同じ長さの照明装置本体であっても、それに取付けられる発光モジュールの数や長さが異なる場合、或いは照明装置の長さが異なる場合等、それらの設計仕様のバリエーションに応じたパターンでねじ孔を照明装置本体に設ける必要がある。このため、照明装置の製造会社は、照明装置の長さ等の設計仕様に適合するパターンのねじ孔を設けた照明装置本体を数多く用意する必要がある。このように部品の種類が増えることは、在庫管理などが面倒になるので、照明装置の製造コストが高まる因子となる。
【先行技術文献】
【特許文献】
【０００９】
【特許文献１】特開２００７−２６７２３号公報
【発明の概要】
【発明が解決しようとする課題】
【００１０】
実施形態は、発光モジュールを固定するためのねじ孔を器具本体に要することなく複数の発光モジュールを器具本体にねじ止めでき、かつ、製造コストを低減可能な照明器具を提供することにある。
【課題を解決するための手段】
【００１１】
前記課題を解決するために、実施形態の照明器具は、器具本体と、複数の発光モジュールと、複数のモジュール固定ねじを具備する。器具本体は第１部材と第２部材を備え、これら両部材をその長手方向に延びる一側縁部を互に離間させて連結する。両部材のうちの一方に、離間された一側縁部間に対向する支持部を設ける。支持部にその長手方向に延びるモジュール用溝条を形成する。複数のねじ通し部を有したモジュール基板に発光部を複数装着してなる発光モジュールを、支持部の長手方向に間隔的に配設する。モジュール固定ねじをねじ通し部に通してモジュール用溝条にねじ込んで、各発光モジュールを支持部に固定したことを特徴としている。
【発明の効果】
【００１２】
実施形態の照明器具によれば、発光モジュールを固定するためのねじ孔を器具本体に要することなく複数の発光モジュールを器具本体にねじ止めでき、かつ、製造コストを低減可能である、という効果を期待できる。
【図面の簡単な説明】
【００１３】
【図１】実施例１に係る照明器具をその器具ホルダとともに示す斜視図である。
【図２】図１の照明器具をその器具ホルダとともに示す断面図である。
【図３】図１の照明器具の一部を分解して示す斜視図である。
【図４】図１の照明器具を示す断面図である。
【図５】図１の照明器具を図４とは異なる位置で示す断面図である。
【図６】図４中Ｆ６部の拡大図である。
【図７】図１の照明器具の器具本体の一部を示す斜視図である。
【発明を実施するための形態】
【００１４】
実施形態１の照明器具は、第１部材と第２部材を備え、これら両部材の長手方向に延びる一側縁部を互に離間させて前記両部材を連結するとともに、前記離間された一側縁部間に対向する支持部を前記両部材のうちの一方に設け、かつ、前記支持部の長手方向に延びるモジュール用溝条を前記離間された一側縁部間に臨んで前記支持部に形成した器具本体と；複数のねじ通し部を有したモジュール基板に発光部を複数装着してなり、前記ねじ通し部を前記モジュール用溝条に対向させるとともに前記発光部を前記離間された一側縁部間に向けて前記支持部に、この支持部の長手方向に間隔的に配置された複数の発光モジュールと；前記ねじ通し部を通って前記モジュール用溝条にねじ込まれて前記発光モジュールを前記支持部に固定した複数のモジュール固定ねじと；を具備することを特徴としている。
【００１５】
この実施形態１で、第１部材と第２部材は合成樹脂製又は金属製若しくはこれらの複合材で形成できる。両部材を金属製とする場合には、プレス成型等により形成することができる他、少なくとも発光モジュールが固定される部材については押し出し型材、特に、軽量化と放熱性と防錆性を確保するためにアルミニウム合金の押し出し型材とすることが好ましい。この実施形態１で、一方の部材が有する支持部は、板状であることが好ましいが、中空構造であっても差し支えない。この実施形態１で、モジュール用溝条は、単一であっても、又は複数で互に平行に設けられていてもよいとともに、支持部を有した一方の部材が押し出し型材でない場合には、切削加工等によってモジュール用溝条を設けることも可能である。
【００１６】
この実施形態１で、モジュール基板のねじ通し部は、その数を減らす上でモジュール基板の幅方向中央部に設けることが好ましいが、モジュール基板の側縁に切り欠くように設けてもよい。この実施形態１で、発光部とは、通電により発光するものであって、例えばＬＥＤチップを発光素子として有したＬＥＤ発光パッケージ等のＬＥＤ発光部を好適に用いることができる。各発光部のモジュール基板に対する配置は、任意であるが、モジュール基板の長手方向に一定間隔で配設することが望ましい。
【００１７】
この実施形態１で、モジュール固定ねじには、支持部にねじ込み可能であれば、如何なる構成のねじを用いることもできるが、セルフタッピングねじを用いることが好ましい。
【００１８】
この実施形態１は、例えば建物の壁面等を照明するために好適に用いることができるが、他の照明用途にも適用可能である。これとともに、器具本体の長さは任意であるとともに、発光モジュールの使用数は器具本体の長さ等に適合するように設定すればよい。
【００１９】
実施形態１では、発光モジュールが内蔵される器具本体の第１部材と第２部材とが連結される前の状態で、一方の部材に設けた支持部に複数の発光モジュールをねじ止めできるので、このねじ止めのための作業空間が広く確保されるに伴い、ねじ止め作業を容易に行える。
【００２０】
更に、このねじ止めは、モジュール基板のねじ通し部にモジュール固定ねじを通すとともに、このねじを、ねじ通し部に対向された支持部のモジュール用溝条にねじ込むことでなされる。この場合、支持部の長手方向に延びているモジュール用溝条の互に異なる箇所に各モジュール固定ねじがねじ込まれるので、製造上、モジュール固定ねじの使用数に応じた数のねじ孔を支持部に設ける必要がない。これとともに、支持部の長手方向の任意箇所に各発光モジュールをねじ止めすることが可能である。
【００２１】
実施形態２の照明器具は、実施形態１において、前記発光モジュールが有した複数の前記発光部にわたるような長さを有するレンズ部、及びこのレンズ部の幅方向両側に夫々突設された取付け脚を有し、かつ、これら取付け脚の少なくとも一方にねじ通し部が形成されたレンズを備え、前記モジュール用溝条と平行なレンズ用溝条を前記モジュール用溝条の両側に夫々形成し、前記取付け脚のねじ通し部を通って前記レンズ用溝条にねじ込まれたレンズ固定ねじで前記レンズを前記支持部に前記発光モジュールを覆って固定したことを特徴としている。
【００２２】
この実施形態２で、レンズ固定ねじには、支持部にねじ込み可能であれば、如何なる構成のねじを用いることもできるが、セルフタッピングねじを用いることが好ましい。
【００２３】
実施形態２では、実施形態１において、更に、第１部材と第２部材が連結される前の状態で、一方の部材に設けた支持部にレンズ固定ねじを用いてレンズをねじ止めできる。この場合、支持部の長手方向に延びているレンズ用溝条の互に異なる箇所に各レンズ固定ねじがねじ込まれるので、製造上、レンズ固定ねじの使用数に応じた数のねじ孔を支持部に設ける必要がない。これとともに、支持部の長手方向の任意箇所でかつ各発光モジュールの配置に適合した位置にレンズをねじ止めすることが可能である。
【００２４】
実施形態３の照明器具は、実施形態１又は２において、前記発光部を発光させる電源ユニットを備え、前記モジュール用溝条と平行な電源用溝条を前記モジュール用溝条に対して前記支持部の幅方向にずれて形成し、前記電源用溝条にねじ込まれた複数のユニット固定ねじで前記電源ユニットを前記支持部の背面に固定したことを特徴としている。
【００２５】
この実施形態３で、支持部の背面とは、離間された一側縁部間に対向する支持部の正面とは反対側の面を指している。
【００２６】
実施形態３では、実施形態１又は２において、更に、第１部材と第２部材が連結される前の状態で、一方の部材に設けた支持部の背面にユニット固定ねじを用いて電源ユニットをねじ止めできる。この場合、支持部の長手方向に延びている電源用溝条の互に異なる箇所に各ユニット固定ねじがねじ込まれるので、製造上、ユニット固定ねじの使用数に応じた数のねじ孔を支持部に設ける必要がない。これとともに、支持部の長手方向の任意箇所に電源ユニットをねじ止めすることが可能である。更に、各溝条が支持部の幅方向にずれているので、モジュール固定ねじとユニット固定ねじとが干渉することがない。
【００２７】
実施形態４の照明器具は、実施形態２又は３において、前記レンズを前記モジュール基板に位置決めする位置決め部を前記取付け脚に設け、この位置決め部が、前記レンズ固定ねじのねじ込みに伴い前記モジュール基板の側縁部の正面に接する基板接触面と、この面から折れ曲がるように連続して前記側縁部の側面を覆うカバー面を有していることを特徴としている。
【００２８】
この実施形態４において、レンズを発光モジュールの幅方向に位置決めするために、カバー面は基板接触面に対して略直角に折れ曲がるように連続していることが好ましく、より好ましくは、カバー面はモジュール基板の側縁部の側面に接するように設けるとよい。
【００２９】
実施形態４では、実施形態２又は３において、更に、支持部にレンズがねじ止めされるに伴って、取付け脚の位置決め部が有した基板接触面がモジュール基板に接して、レンズ部を発光モジュールの発光部に対して光軸が延びる方向に位置決めする。こうした位置決めによれば、発光部とレンズ部の光入射面との間の距離が、取付け脚のレンズ固定ねじが通る部位の厚みの公差内でのばらつき、及びモジュール基板の厚みの公差内でのばらつきの影響を受けない。
【００３０】
実施形態５は、実施形態１から４のいずれかにおいて、前記発光モジュールを覆うように設けられる配光制御部材を備え、前記両部材の長手方向全長にわたって延びてこの長手方向の端が開放された部材用溝条を、前記両部材の前記一側縁部と前記支持部との間に夫々設け、前記配光制御部材を、この配光制御部材の幅方向両側縁を前記部材用溝条に嵌めて前記両部材間に取付けたことを特徴としている。
【００３１】
この実施形態５で、配光制御部材としては、金属や合成樹脂製などからなるルーバや拡散透光性のカバー等を挙げることができる。この配光制御部材は、器具本体の全長にわたる長さの単一部材でも、又は、複数の発光モジュールにわたってこれらを覆うように配設される長さを有した部材でもよく、或いは、一個の発光モジュールと略同じ長さを有して発光モジュールを個別に覆うように配設されるものでもよい。
【００３２】
実施形態５では、実施形態１から４のいずれかにおいて、更に、器具本体外に出射される光の配光を制御する配光制御部材を器具本体の所定位置に配設する場合、器具本体の長手方向両端が開放された部材用溝に、この溝の一端から他端に向けて配光制御部材を挿入しスライドさせることによって、この配光制御部材を第１部材と第２部材の離間された一側縁部間に容易に配設することが可能である。
【００３３】
実施形態６の照明器具は、実施形態５において、前記配光制御部材が前記発光モジュールと略同じ長さでかつ同数用いられているとともに、これら配光制御部材と前記器具本体の長手方向に交互に配置される複数の目隠し部材を備え、前記配光制御部材と前記目隠し部材とを、それらの幅方向両側縁を前記部材用溝条に嵌めて前記両部材間に取付けたことを特徴としている。
【００３４】
この実施形態６で、目隠し部材は、金属又は合成樹脂で形成できるとともに、平板であっても良く、或いは、配光制御部材がルーバである場合、目隠し板部にルーバのルーバ片に相当する板部を有して、ルーバ及び目隠し部材の意匠の連続性を確保するようにしても差し支えない。
【００３５】
実施形態６では、実施形態５において、更に、配光制御部材と同様に、目隠し部材を、器具本体の長手方向両端が開放された部材用溝に、この溝の一端から他端に向けて目隠し部材を挿入しスライドさせることによって、容易に器具本体に配設することが可能である。こうした配設に伴い器具本体の長手方向について配光制御部材が目隠し部材で位置決めされるので、各配光制御部材を各発光モジュールに正しく対向させることができる。これとともに、各目隠し部材によって、各発光モジュールの長手方向の両側を覆い隠して、器具本体の内蔵部品等の視認を防止することが可能である。
【実施例１】
【００３６】
以下、実施例１の照明器具について、図１〜図７を参照して詳細に説明する。
【００３７】
図１及び図２中符号１は例えば上向きに光を出射して被照射対象である建物の壁面を照明するための照明装置を示している。この照明装置１は、所定の長さを有した長尺な照明器具２と、この照明器具２を支持する複数例えば２台の器具ホルダ３を備えている。
【００３８】
照明器具２は、図３〜図５に示すように器具本体１１と、複数の発光モジュール３５と、複数のモジュール固定ねじ４０（図４参照）と、複数のレンズ４１と、複数のレンズ固定ねじ４６と、１個以上例えば二個の電源ユニット５１と、複数のユニット固定ねじ５２と、１個以上例えば複数の配光制御部材具体的にはルーバ５５と、複数の目隠し部材６１（図３参照）を備えている。
【００３９】
器具本体１１は、第１部材１２と、第２部材２２と、一対の側板３４を備えている。第１部材１２及び第２部材２２は同じ長さであって、これらには、金属の型材例えばアルミニウム合金の押し出し型材を所定の長さを切断して得たものが使用されている。側板３４も金属例えばアルミニウム合金製である。これら側板３４は後述する設置用溝条１８の端に連続する凹部３４ａ（図３参照）を有している。
【００４０】
第１部材１２はその一側縁部１２ａにカバー用溝条１３を有している。カバー用溝条１３は、第１部材１２の長手方向全長にわたって延びていて、その長手方向の端は夫々開放されている。第１部材１２はその他側縁部１２ｂに連結用溝条１４を有している。連結用溝条１４も、第１部材１２の長手方向全長にわたって延びていて、その長手方向の端は夫々開放されている。
【００４１】
第１部材１２にはその一側縁部１２ａ及び他側縁部１２ｂの夫々に固定孔１５を有している。これら固定孔１５も、第１部材１２の長手方向全長にわたって延びていて、その長手方向の端は夫々開放されている。各固定孔１５の長手方向両端部は雌ねじ溝が加工されているが、これを省略してもよい。
【００４２】
第１部材１２はその一側縁部１２ａと他側縁部１２ｂとの間に位置して支持部１６が設けられている。支持部１６は、例えば比較的肉厚な板状をなしていて、第１部材１２の長手方向全長にわたって延びているとともに、その厚み方向の両面は平行で、かつ、その一面は正面で他面は背面である。
【００４３】
更に、第１部材１２はその一側縁部１２ａと支持部１６との間に部材用溝条１７を有している。この部材用溝条１７も、第１部材１２の長手方向全長にわたって延びていて、その長手方向の端は夫々開放されている。
【００４４】
同様に、第１部材１２はその外面に開放する設置用溝条１８を有している。この設置用溝条１８も、第１部材１２の長手方向全長にわたって延びていて、その長手方向の端は夫々開放されている。部材用溝条１７はＣチャンネル状の肉部で囲まれて形成されているとともに、この部材用溝条１７の奥壁から支持部１６が部材用溝条１７の長手方向に延びて、かつ、外部に開放された溝条開口とは反対方向に突出されている。
【００４５】
図４及び図７に示すように支持部１６には、前記一側縁部１２ａ側の面つまり前記正面に開放する一本のモジュール用溝条１９と、一本のレンズ用溝条２０が夫々形成されている。レンズ用溝条２０は、モジュール用溝条１９と平行でかつこのモジュール用溝条１９の片側に設けられている。これらモジュール用溝条１９とレンズ用溝条２０は、支持部１６の長手方向全長にわたって延びていて、その長手方向の端は夫々開放されている。
【００４６】
更に、支持部１６には、連結用溝条１４側の面つまり前記背面に開放する二本の電源用溝条２１が形成されている。二本の電源用溝条２１は、互に平行であって、かつ、モジュール用溝条１９及びレンズ用溝条２０に対して支持部１６の幅方向にずれて設けられている。これら電源用溝条２１は、支持部１６の長手方向全長にわたって延びていて、その長手方向の端は夫々開放されている。
【００４７】
第２部材２２はその一側縁部２２ａにカバー用溝条２３を有している。カバー用溝条２３は、第２部材２２の長手方向全長にわたって延びていて、その長手方向の端は夫々開放されている。第２部材２２は折れ曲がった連結板部２４を有して断面略Ｌ字形状を成している。連結板部２４は、前記他側縁部１２ｂの角に係合する段部２４ａと、この段部２４ａから突出されたパッキン取付け縁２４ｂを有している。
【００４８】
第２部材２２はその一側縁部２２ａ及び折れ曲がった角部２２ｂの夫々に固定孔２５を有している。これら固定孔２５も、第２部材２２の長手方向全長にわたって延びていて、その長手方向の端は夫々開放されている。各固定孔２５の長手方向両端部は雌ねじ溝が加工されているが、これを省略してもよい。
【００４９】
更に、第２部材２２はその一側縁部２２ａ側に部材用溝条２７を有している。この部材用溝条２７は、第２部材２２の長手方向全長にわたって延びていて、その長手方向の端は夫々開放されている。
【００５０】
第１部材１２の一側縁部１２ａと第２部材２２の一側縁部２２ａとの間には、これらに挟まれて透明な照明カバー例えばガラス板２８が配設されている。ガラス板２８の長さは第１部材１２及び第２部材２２の長さと同じである。防水パッキン２９が被されたガラス板２８の幅方向両側縁は、カバー用溝条１３，２３に夫々密に嵌入されている。更に、防水パッキン３０が被された連結板部２４のパッキン取付け縁２４ｂは、連結用溝条１４に密に嵌入されている。これとともに、連結板部２４の段部２４ａは第１部材１２の他側縁部１２ｂに係合されている。
【００５１】
このように第１部材１２と第２部材２２とが組み合わされた状態で、これらの部材は複数本の第１ねじ３１（１本のみ図４及び図５に夫々示す。）及び複数本の第２ねじ３２（１本のみ図４及び図５に夫々示す。）で連結されている。
【００５２】
即ち、各第１ねじ３１は、第１部材１２から挿入されて第２部材２２の内側部位に予め形成された連結用のねじ孔（図示しない）に螺合されている。この第１ねじ３１の締め付けによりガラス板２８を第１部材１２と第２部材２２との間に挟んだ状態に保持している。各第２ねじ３２も、第１部材１２から挿入されて第２部材２２の角部２２ｂの内側部位に予め形成された連結用のねじ孔（図示しない）に螺合されている。この第２ねじ３２の締め付けにより、他側縁部１２ｂへの段部２４ａの当たりを確保しているとともに、防水パッキン３０が被嵌されたパッキン取付け縁２４ｂの連結用溝条１４への挿入を確保している。なお、第１ねじ３１及び第２ねじ３２のねじ頭と第１部材１２との間には防水パッキンが夫々挟み込まれている。
【００５３】
第１ねじ３１及び第２ねじ３２の先端部はいずれも第２部材２２を貫通していないので、器具本体１１外に突出して照明器具２の外観を損なうことがない。以上のように第１部材１２と第２部材２２とが連結された状態で、第１部材１２の一側縁部１２ａと第２部材２２の一側縁部２２ａとは、互にガラス板２８をスペーサとして器具本体１１の幅方向に離間されているとともに、第１部材１２の部材用溝条１７と第２部材２２の部材用溝条２７とが器具本体１１の幅方向に対向されている。
【００５４】
更に、第１部材１２と第２部材２２とが連結された状態で、支持部１６の先端縁は第２部材２２の内面に接近し、かつ、支持部１６は、離間された一側縁部１２ａ，２２ａ間のガラス板２８に器具本体１１の内部から対向している。このため、支持部１６に形成されたモジュール用溝条１９は離間された一側縁部１２ａ，２２ａ間に臨んでいる。又、支持部１６の背面は連結板部２４に対向しており、このため、電源用溝条２１は連結板部２４に臨んでいる。
【００５５】
又、側板３４は第１部材１２と第２部材２２の長手方向両端に夫々装着されている。この装着は、第１部材１２と第２部材２２の長手方向両端と側板３４との間に図示しない防水パッキンを挟んだ状態で、図３に示すねじ３３を側板３４の四隅に通して固定孔１５又は固定孔２５にねじ込むことで実現されている。したがって、器具本体１１は防水構造をなして組立てられている。
【００５６】
図３〜図５に示すように各発光モジュール３５は、長方形のモジュール基板３６に、複数の発光部３７及び一対の電線コネクタ３８を装着するとともに、複数のねじ通し部例えばねじ通孔３９を設けて形成されている。
【００５７】
各発光部３７は、例えばモジュール基板３６の長方向中央に位置し、かつ、モジュール基板３６の長手方向に一定間隔毎に実装されて、このモジュール基板３６が有する図示しない配線パターンを介して電気的に直列に接続されている。これらの発光部３７には例えばＬＥＤパッケージからなるＬＥＤが用いられている。したがって、発光モジュール３５はＬＥＤ発光モジュールであり、これを備えた照明器具２はＬＥＤ照明器具である。
【００５８】
ＬＥＤパッケージは、電極が設けられたベース上にＬＥＤチップを実装するとともに、このＬＥＤチップを収容する円錐台上の凹部を有した反射体を装着し、凹部に蛍光体入りの透光性封止樹脂を充填して形成されている。このＬＥＤパッケージにおいて、青色発光をするＬＥＤチップが用いられているので、白色照明光を得るために、黄色の蛍光体が用いられている。
【００５９】
ＬＥＤの発光は、半導体のｐ−ｎ接合に順方向電流を流すことで実現されるので、ＬＥＤは電気エネルギーを直接光に変換する固体素子である。こうした発光原理で発光する半導体発光素子は、通電によりフィラメントを高温に白熱させて、その熱放射により可視光を放射させる白熱電球と比較して、省エネルギー効果を有するものである。
【００６０】
電線コネクタ３８はモジュール基板３６の長手方向の両端部に夫々実装されている。これら電線コネクタ３８には、それらの間に配設された複数の発光部３７がなした列の端が電気的に接続されている。
【００６１】
図３に示すようにねじ通孔３９は、例えば各発光部３７とともにモジュール基板３６の長手方向中央に設けられている。ねじ通孔３９の径はモジュール用溝条１９の幅よりも若干大きい。なお、ねじ通孔３９に代えて、モジュール基板３６の側縁に開放される切り欠きを設けて、それをねじ通し部とすることもできる。
【００６２】
各発光モジュール３５は、支持部１６にその長手方向に沿って間隔的に配設され、好ましくは等間隔に配設されて支持部１６にねじ止めされている。
【００６３】
即ち、発光モジュール３５は、そのねじ通孔３９をモジュール用溝条１９に対向させて支持部１６の正面に重ねられ、この状態で夫々のねじ通孔３９を通ってモジュール用溝条１９にねじ込まれたモジュール固定ねじ４０で、支持部１６に固定されている。各モジュール固定ねじ４０にはセルフタッピングねじを用いることが好ましい。
【００６４】
こうした発光モジュール３５の取付け手順によれば、支持部１６の長手方向に延びているモジュール用溝条１９の互に異なる箇所に、各モジュール固定ねじ４０がねじ込まれるので、モジュール固定ねじ４０の使用数に応じた数のねじ孔を支持部１６に設ける必要がなく、製造上有利である。
【００６５】
これとともに、モジュール用溝条１９が支持部１６の長手方向に延びているので、支持部１６の長手方向の任意箇所に各発光モジュール３５をねじ止めすることが可能である。そのため、器具本体１１の長さが異なる照明器具２や、器具本体１１の長さが同じでも、この器具本体に対する複数の発光モジュール３５の使用数や配設ピッチが異なる照明器具２を製造する場合にも、これらの製品仕様に合わせてねじ孔を支持部１６に設ける必要がないにも拘らず、複数の発光モジュール３５を製品仕様に適合した位置にねじ止めして支持部１６に取付けることが可能である。
【００６６】
前記手順で支持部１６に固定された各発光モジュール３５の発光部３７は、第１部材１２と第２部材２２の互に離間された一側縁部１２ａ，２２ａ間のガラス板２８に向いている。固定された各発光モジュール３５のうちで、支持部１６の長手方向に隣接した発光モジュール３５同士は、その電線コネクタ３８に両端が接続された図示しない絶縁被覆電線により電気的に直列に接続されている。なお、電気的に直列接続された発光モジュール群の両端は、器具本体１１の長手方向の一端部に設けられた正極用及び負極用の給電部（図示しない）に、図示しない絶縁被覆電線を介して接続されている。
【００６７】
図３〜図５に示すようにレンズ４１は、透光性合成樹脂の一体成形品からなり、レンズ部４２と、このレンズ部４２の両側に夫々複数突設された取付け脚４３を備えている。レンズ部４２は、少なくとも一つの発光モジュール３５の各発光部３７にわたるような長さを有しているとともに、光入射溝４２ａを有している。この光入射溝４２ａの底面は光入射面である。このレンズ部４２の長手方向に直交する断面の形状は各部同じである。
【００６８】
なお、実施例１ではレンズ４１が発光モジュール３５と同数用いられているが、レンズ４１は、第１部材１２及び第２部材２２と同じ長さの一本物でも良いし、或いは、第１部材１２及び第２部材２２より短くかつ隣接した複数の発光モジュール３５にわたる長さを有して形成されていても良い。
【００６９】
各取付け脚４３は、レンズ部４２の裏側方向に突出された基部と、この基部から折れ曲がった脚端部とを有して、側面視略Ｌ字形状をなしている。レンズ部４２の長手方向と直交する方向、つまり、幅方向に対向する取付け脚４３の脚端部は互に遠ざかる方向に折れ曲がっている。更に、両取付け脚４３は脚端部を厚み方向に貫通したねじ通し部４４（図３参照）を有している。なお、実施例１では、一方の取付け脚４３のみにねじ通し部４４をけるようにしても差し支えない。これとともに、取付け脚４３の基部と脚端部とが成した角部には位置決め部４５が設けられている。
【００７０】
図６に示すように位置決め部４５は、基板接触面４５ａと、カバー面４５ｂを有して形成されている。基板接触面４５ａは、モジュール基板３６の側縁部の正面（図では上面）３６ａに接する面である。カバー面４５ｂは、基板接触面４５ａに連続してモジュール基板３６の側縁部の側面３６ｂを覆うように設けられている。カバー面４５ｂは、好ましくは基板接触面４５ａに直角に折れ曲がるように連続していて、前記側縁部の側面３６ｂに接するようになっている。
【００７１】
各レンズ４１は、以下の手順で発光モジュール３５を覆って支持部１６に取付けられている。
【００７２】
即ち、まず、支持部１６に固定されているモジュール基板３６の側縁部に、レンズ４１が有した各取付け脚４３の位置決め部４５を係合させて、モジュール基板３６上にレンズ４１を配置する。
【００７３】
これに伴い、位置決め部４５の基板接触面４５ａはモジュール基板３６の側縁部の正面（図では上面）３６ａに接し、かつ、基板接触面４５ａとカバー面４５ｂとなした角が、モジュール基板３６の側縁部の正面３６ａと側面２６ｂとがなした角に係合されるようになる。そのため、レンズ４１が発光モジュール３５の幅方向に位置決めされて、レンズ部４２の光入射溝４２ａが発光モジュール３５の各発光部３７に正しく対向された状態に保持される。
【００７４】
しかも、レンズ４１の脚端部はモジュール基板３６からその幅方向に食み出している。この食み出した脚端部の下面は支持部１６に接触しておらず、これらの間には若干の隙間が形成されている。これとともに、前記幅方向の位置決めに伴い、取付け脚４３の脚端部に形成されたねじ通し部４４がレンズ用溝条２０に正しく対向される。
【００７５】
次に、必要により、モジュール基板３６をガイドとしてこの基板の長手方向にレンズ４１を移動させて、モジュール基板３６の長手方向についてレンズ４１を適正位置に配置する。この状態で、レンズ用溝条２０に対向した一方の取付け脚４３のねじ通し部４４にレンズ固定ねじ４６を通して、このねじをレンズ用溝条２０にねじ込む。これとともに、他方の取付け脚４３とこれを覆うように接近している第１部材１２の脚対向壁部１２ｃとの間に、板ばねを折り曲げてなる脚押えばね４７を挟設する。これにより、各レンズ４１が夫々対向した発光モジュール３５を光出射方向から覆って支持部１６に固定される。この場合のねじ込みと脚押えばね４７の力で、位置決め部４５の基板接触面４５ａがモジュール基板３６の側縁部の正面３６ａに密接される。
【００７６】
なお、脚押えばね４７は第１部材１２の全長にわたるように延びていて各レンズ４１を押えているが、レンズ４１毎に配設することも可能である。又、支持部１６への他方の取付け脚４３の固定は、脚押えばね４７に代えて、一方の取付け脚４３の支持部１６への取付けと同様に、取付け脚４３を通るレンズ固定ねじと、支持部１６に設けられてレンズ固定ねじがねじ込まれるレンズ用溝条とによって行うことも可能である。
【００７７】
以上のレンズ取付け手順によれば、支持部１６の長手方向に延びているレンズ用溝条２０の互に異なる箇所に各レンズ固定ねじ４６がねじ込まれるので、レンズ固定ねじ４６の使用数に応じた数のねじ孔を支持部１６に設ける必要がない。これとともに、レンズ用溝条２０が支持部１６の長手方向に延びているので、支持部１６の長手方向の任意箇所でかつ各発光モジュール３５の配置に適合した位置にレンズ４１をねじ止めすることが可能である。
【００７８】
更に、支持部１６にレンズ４１がねじ止めされるに伴って、取付け脚４３の位置決め部４５が有した基板接触面４５ａがモジュール基板３６の正面３６ａに接して、レンズ部４２を発光モジュール３５の発光部３７に対して光軸が延びる方向に位置決めできる。こうした位置決めによれば、発光部３７とレンズ４１の光入射面との間の距離が、レンズ固定ねじ４６が通る取付け脚４３の脚端部の厚みの公差内でのばらつき、及びモジュール基板３６の厚みの公差内でのばらつきの影響を受けない。したがって、前記距離の精度が高められるから、発光部３７が発した光を設計通りにレンズ部４２で制御して出射することが可能である。
【００７９】
なお、取付け脚４３の脚端部をモジュール基板３６に重ねてねじ止めしても、同様に前記距離の精度を高めることはできる。しかし、この場合、モジュール基板３６の幅を広くする必要があるので好ましくない。
【００８０】
電源ユニット５１は例えば二個使用されている。これらの電源ユニット５１は各発光モジュール３５に給電してその発光部３７を発光させるために使用されており、これらは支持部１６の背面にねじ止めされている。
【００８１】
すなわち、電源ユニット５１は、そのユニットベースの長手方向両端部に夫々図示しないねじ通し部を有している。これらのねじ通し部を支持部１６の電源用溝条２１に対向するように電源ユニット５１を支持部１６の背面に配置した上で、ねじ通し部にユニット固定ねじ５２（図４及び図５参照）を通して電源用溝条２１にねじ込むことにより、電源ユニット５１が支持部１６に固定されている。
【００８２】
この場合、支持部１６の長手方向に延びている電源用溝条２１の互に異なる箇所に各ユニット固定ねじ５２がねじ込まれるので、ユニット固定ねじ５２の使用数に応じた数のねじ孔を支持部１６に設ける必要がなく、製造上有利である。これとともに、電源用溝条２１が支持部１６の長手方向に延びているので、支持部１６の長手方向の任意箇所に電源ユニット５１をねじ止めすることが可能である。
【００８３】
更に、電源用溝条２１は、モジュール用溝条１９及びレンズ用溝条２０に対して支持部１６の幅方向にずれて設けられているので、モジュール固定ねじ４０及びレンズ固定ねじ４６とユニット固定ねじ５２とが干渉することがない。したがって、支持部１６の両面に発光モジュール３５及びレンズ４１と電源ユニット５１とを振分けて適正に取付けることが可能である。
【００８４】
図３〜図５に示すようにルーバ５５は、板金のプレス加工品であり、長方形をなすルーバ枠５５ａの内側に複数例えば二枚のルーバ片５５ｂを有して形成されている。ルーバ片５５ｂはルーバ枠５５ａに対して直角に折れ曲がって設けられている。ルーバ５５は、発光モジュール３５と同数用いられていて、それらの長さは一つの発光モジュール３５の長さと略同じである。なお、ルーバ５５は、第１部材１２及び第２部材２２と同じ長さの一本物でも良いし、或いは、第１部材１２及び第２部材２２より短くかつ隣接した複数の発光モジュール３５にわたる長さに形成されていても良い。
【００８５】
これらのルーバ５５は、そのルーバ枠５５ａの幅方向の枠部を、第１部材１２の部材用溝条１７と第２部材２２の部材用溝条２７に嵌めることによって、発光モジュール３５を覆うように第１部材１２と第２部材２２間に取付けられている。
【００８６】
図３に示すように複数の目隠し部材６１は、四角い金属板からなる。各目隠し部材６１は、その両側縁を部材用溝条１７，２７に夫々嵌めることによって、第１部材１２と第２部材２２間に器具本体１１の長手方向に沿ってルーバ５５と交互に取付けられている。これらの目隠し部材６１は各発光モジュール３５の長手方向の両側を覆い隠している。
【００８７】
これにより、発光モジュール３５の長手方向の両側に露出されたモジュール用溝条１９及びレンズ用溝条２０の一部、並びに発光モジュール３５を電気的に直列に接続するための電線が覆い隠されている。したがって、これらの視認が防止されて、照明器具２の体裁を向上することが可能である。
【００８８】
次に、照明器具２を組立てる手順を説明する。
【００８９】
まず、器具本体１１を既述の手順で組立てる前に、器具本体１１に内蔵される部品である複数の発光モジュール３５及び複数の電源ユニット５１の夫々を、第１部材１２の支持部１６に既述の手順でねじ止めするとともに、複数のレンズ４１を既述の手順で支持部１６に取付ける。このように第１部材１２と第２部材２２が連結される前の状態で、第１部材１２の支持部１６に前記各部品を夫々固定できるため、発光モジュール３５、レンズ４１、及び電源ユニット５１をねじ止めするための作業空間が、器具本体１１の内部空間に制約されずに広く確保される。したがって、ねじ止め等を伴う部品取付け作業が容易である。
【００９０】
この後、第１部材１２と第２部材２２とを連結する。この場合、防水パッキン２９が装着されたガラス板２８を、第１部材１２の一側縁部１２ａのカバー用溝条１３と、第２部材２２の一側縁部２２ａのカバー用溝条２３とに夫々に嵌めるとともに、第２部材２２の防水パッキン３０が装着されたパッキン取付け縁２４ｂを第１部材１２の連結用溝条１４に嵌め入れてから、第１ねじ３１及び第２ねじ３２を用いて第１部材１２と第２部材２２を連結する。
【００９１】
次に、第１部材１２と第２部材２２との間に、器具本体１１に内蔵される部品である複数のルーバ５５と複数の目隠し部材６１を支持する。これらルーバ５５と目隠し部材６１は、長手方向の端が開放されている第１部材１２の部材用溝条１７と第２部材２２の部材用溝条２７に、これら溝条の一端から交互に挿入し、かつ、溝条の他端に向けて順次スライドさせることによって、容易に支持することが可能である。
【００９２】
最後に、第１部材１２及び第２部材２２の長手方向両端の夫々に図示しない防水パッキンを挟んで側板３４を被せてから、これら側板３４を固定孔２５にねじ込まれる側板固定用のねじ３３で固定して、器具本体１１を組立てる。これにより、照明器具２が組立てられる。
【００９３】
なお、二個の側板３４のうちの一方を、連結された第１部材１２及び第２部材２２の長手方向一端に予めねじ止めして置いてから、既述の手順でルーバ５５と目隠し部材６１を支持させ、この後に残った方の側板３４をねじ止めするようにしてもよい。このようにする場合には、先行してねじ止めされた側板を、始めにスライドして取付けられる目隠し部材６１のストッパとして利用できるとともに、スライドされる部材がスライド方向に抜けることがないので、より作業性がよい。
【００９４】
前記組立てに伴い、第１部材１２と第２部材２２との間にこれらの長手方向に沿って交互に支持されたルーバ５５と目隠し部材６１とが互に接し合うとともに、交互に配置された各ルーバ５５及び各目隠し部材６１が側板３４で器具本体１１の長手方向に挟持される。これにより、各ルーバ５５及び各目隠し部材６１を格別な固定部品を用いることなく、動かないように器具本体１１に配設できる。
【００９５】
更に、こうした照明器具２の組立てにより、器具本体１１の長手方向についてルーバ５５と目隠し部材６１が夫々位置決めされて、各ルーバ５５を各発光モジュール３５に正しく対向させることができる。これとともに、各目隠し部材６１によって、隣接した発光モジュール３５を電気的に接続するための配線、及びモジュール用溝条１９とレンズ用溝条２０の各一部の視認が防止されて、照明器具２の体裁を向上することが可能である。
【００９６】
又、図１及び図２に示すように前記器具ホルダ３は、ホルダベース７１と、サポートアーム７２と、サポートヘッド７３と、レール７４と、連結ねじ７５などを備えている。
【００９７】
ホルダベース７１は照明器具２の設置箇所に固定される部材であって、これにサポートアーム７２の一端部が回動可能に枢支されている。なお、図１中符号７６はサポートアーム７２の回動を案内するとともにこのサポートアーム７２の任意の回動位置に保持するための部材の一部を示している。サポートアーム７２は、図２中矢印方向に伸縮可能であり、ねじ止めにより任意の長さに保持される。サポートヘッド７３はサポートアーム７２の先端部に設けられている。
【００９８】
金属製のレール７４は、設置用溝条１８と略同じ長さであって、この設置用溝条１８に内蔵されている。連結ねじ７５は、レール７４の複数個所に支持されていて、図４及び図５に示すように設置用溝条１８の長手方向に延びる細長い溝条開口を通っている。この連結ねじ７５にナット７７が螺合されて、レール７４が器具本体１１に固定されている。このレール７４には設置用溝条１８の溝条開口を通る図示しない連結軸が突設されていて、この連結軸にサポートヘッド７３が固定されている。
【００９９】
第１部材１２の設置用溝条１８に器具ホルダ３のレール７４を嵌め込んだ後に、ナット７７を締め付けることによって、第１部材１２と器具ホルダ３とが連結されるようになっている。この状態で、前記連結軸にサポートヘッド７３を固定することにより、器具本体１１がその光出射方向を上向きにして器具ホルダ３に取付けられている。
【０１００】
この照明器具２への通電により、電源ユニット５１を経由して各発光モジュール３５への給電が行われると、各発光部３７が発光する。そのため、これら発光部３７が発した直進性の高い光が、レンズ４１により広げられた後、ルーバ５５により配光を制御されて、
第１部材１２の一側縁部１２ａと第２部材２２の一側縁部２２ａとの間に挟まれたガラス板２８を通って、建物の壁面等の照明対象に向けて出射され照明に供される。
【０１０１】
又、既述の構成の照明器具２は、その器具本体１１の第１部材１２及び第２部材２２が、押し出し型材製であるので、製造上において以下の利点がある。
【０１０２】
即ち、押し出し型材を所定の長さにして切断することにより、器具本体１１の長さが異なる照明器具２の構成部品とできる。
【０１０３】
そして、等間隔に配設される発光モジュール３５は、器具本体１１の長さが異なると、その配設ピッチも異なるが、既述のように器具本体の長さ仕様に合わせてねじ孔を支持部１６に設ける必要がないにも拘らず、複数の発光モジュール３５を製品仕様に適合した位置にねじ止めして支持部１６に取付けることが可能である。同様に、器具本体１１の長さが同じでもこの本体に対する複数の発光モジュール３５の使用数や配設ピッチが異なる照明器具２を製造する場合にも、これらの製品仕様に合わせてねじ孔を支持部１６に設ける必要がないにも拘らず、複数の発光モジュール３５を製品仕様に適合した位置にねじ止めして支持部１６に取付けることが可能である。
【０１０４】
更に、既述の構成の照明器具２は、発光モジュール３５と、レンズ４１と、ルーバ５５とが一つの発光ユニットを形成した構成ではなく、支持部１６に発光モジュール３５及びレンズ４１を固定するとともに、支持部１６とは別のルーバ支持部つまり部材用溝条１７，２７にルーバ５５に支持させて、このルーバ５５をレンズ４１に対向するように配設している。これにより、製造上において前記発光ユニットを備えた照明器具２の不具合を改善可能である。
【０１０５】
即ち、発光ユニットにおいては、配光設計に応じたルーバを使用する必要がある。このため、照明器具の製造会社においては、ルーバ等が異なる照明器具の種類に応じて多種類の発光ユニットを用意して置く必要があり、部品管理が複雑になる。しかも、ルーバがない発光ユニットを加える場合には、更に、用意する発光ユニットの種類が増えて、部品管理が複雑化する。
【０１０６】
しかし、実施例１の照明器具２は、発光ユニットを用いないで、この照明器具２を組立てるに伴って発光ユニットに相当する構成を備えた照明器具２を形成できる。これにより、ルーバの種類及びルーバの使用の有無を選択することで、発光モジュール３５及びレンズ４１を多種類の照明器具に対する共通部品とできるため、部品管理が楽になり、低コストで照明器具２を製造することが可能となる。
【０１０７】
なお、実施例１の照明器具２を屋内に設ける場合、各防水パッキンを省略できる他、ガラス板２８を省略することもできる。ガラス板を省略した照明器具とする場合、第１部材１２の一側縁部１２ａと第２部材２２の一側縁部２２ａとを、所定の間隔を隔てて離間した状態に保持する間隔手段を、第１ねじ３１のまわりに設けて実施すればよい。間隔手段としては、第１ねじ３８のねじ軸を段付きにしてその段部を第２部材に当てる手段や、第１ねじ３１の外周に嵌合されるスリーブ等を挙げることが可能である。
【符号の説明】
【０１０８】
２…照明器具、１１…器具本体、１２…第１部材、１２ａ…第１部材の一側縁部、１６…支持部、１７…第１部材の部材用溝条、１９…モジュール用溝条、２０…レンズ用溝条、２１…電源用溝条、２２…第２部材、２２ａ…第２部材の一側縁部、２７…第２部材の部材用溝条、３５…発光モジュール、３６…モジュール基板、３７…発光部、３９…ねじ通孔（ねじ通し部）、４０…モジュール固定ねじ、４１…レンズ、４２…レンズ部、４３…ねじ通し部、４５…位置決め部、４５ａ…基板接触面、４５ｂ…カバー面、４６…レンズ固定ねじ、５１…電源ユニット、５２…ユニット固定ねじ、５５…ルーバ（配光制御部材）、６１…目隠し部材
【図１】
2012129025.tif 000003
【図２】
2012129025.tif 000004
【図３】
2012129025.tif 000005
【図４】
2012129025.tif 000006
【図５】
2012129025.tif 000007
【図６】
2012129025.tif 000008
【図７】
2012129025.tif 000009